(57)【特許請求の範囲】
【請求項１】
浴槽内に気泡を噴出するための気泡噴出ノズルと、該気泡噴出ノズルに配管を介して接続されたポンプと、浴槽の排水口に設けられた排水栓と、該配管を該排水栓に連通させる水抜管と、を有してなる気泡噴出ノズル付き浴槽において、
該排水栓は、水抜管から水が流入するポート及び水を排出するための排水ポートを有した排水栓本体と、
該排水栓本体に上方から差し込まれる排水キャップと、
該流入ポートを閉鎖する流入ポート閉鎖用弁体と、
該排水栓本体内に上方から垂設されたアームと、
を備えてなり、該排水栓本体内に該排水キャップが挿入されると該排水キャップによってアームが押圧され、該弁体が該流入ポートを閉鎖することを特徴とする気泡噴出ノズル付き浴槽。
【請求項２】
請求項１において、前記排水キャップが前記排水栓本体に差し込まれることにより前記排水ポートを閉鎖する排水ポート閉鎖用弁体が設けられていることを特徴とする気泡噴出ノズル付き浴槽。
【請求項３】
請求項１又は２において、前記流入ポート閉鎖用弁体はアームの下部に設けられており、該流入ポート閉鎖用弁体がポートから離反する方向に該アームを付勢する付勢部材が設けられていることを特徴とする気泡噴出ノズル付き浴槽。
【請求項４】
請求項２において、前記流入ポート及び排水ポートは排水栓本体の中心を挟んで対峙して該排水栓本体の側面に設けられており、各ポートに対面する１対のアームが上方から垂設され、流入ポートに対面するアームの下部に前記流入ポート閉鎖用弁体が設けられており、排水ポートに対面するアームの下部に前記排水ポート閉鎖用弁体が設けられており、
該排水栓本体に前記排水キャップを挿入すると該排水キャップが各アームを押して各弁体がそれぞれのポートを閉鎖することを特徴とする気泡噴出ノズル付き浴槽。
【請求項５】
請求項２において、前記流入ポートは前記排水栓本体の側面に設けられ、前記排水ポートは排水栓本体の底面に設けられており、
該流入ポートに対峙するアームが上方から垂設され、該アームの下部に前記流入ポート閉鎖用弁体が設けられており、
該排水栓本体内の底部に前記排水ポート閉鎖用弁体が設けられていると共に該排水ポート閉鎖用弁体を上方に付勢して排水ポートを開放させるバネが設けられており、
前記排水キャップを排水栓全体内に挿入するとアームの下端が排水ポート閉鎖用弁体を押して排水ポートを閉鎖させることを特徴とする気泡噴出ノズル付き浴槽。
【請求項６】
請求項１ないし５のいずれか１項において、前記流入ポートにフィルタ材が設けられていることを特徴とする気泡噴出ノズル付き浴槽。
【発明の詳細な説明】
【０００１】
【発明の属する技術分野】
本発明は浴槽内に気泡を噴出させるようにした気泡噴出ノズル付き浴槽に係り、特にエアーを気泡噴出ノズルに供給するよう構成されたものに好適な気泡噴出ノズル付き浴槽に関する。さらに詳しくは、給気用の配管の残水を無くすよう構成された気泡噴出ノズル付き浴槽に関する。
【０００２】
【従来の技術】
第７図はエアーポンプでエアーを浴槽に噴出させるようにした気泡浴槽の概念図であり、エアーポンプ１０からのエアーは、給気管１２を経て浴槽１４の底部の気泡噴出ノズル１６へ供給される。１８は浴槽１４の排水口、２０は排水管である。この気泡浴槽においては、エアーポンプ１０への浴槽水の逆流を防ぐために、ポンプ吐出口付近の給気管１２に逆止弁２２や逆Ｕ字配管２４を設ける。
【０００３】
この種の気泡浴槽においては、浴槽１４から排水しても給気管１２内に水が残留し、凍結や雑菌繁殖が起きる。
【０００４】
かかる問題を解決しようとするものとして、実公平２−２５３８６号公報には、第６図の如く、給気管１２と排水管２０とを水抜管２６で連通することが提案されている。同号公報では、この水抜管２６から排水管２０へエアーがリークすることを防止するためにゴム栓２８を長いものとし、水抜管２６の開口端を該ゴム栓２８で閉鎖しうるようにしている。３０は気泡噴出用多孔板、３２は玉鎖である。
【０００５】
この実公平２−２５３８６号の気泡噴出ノズル付き浴槽においては、ゴム栓２８として縦長異形のゴム栓を用いることが必要であり、排水管２０からゴム栓が抜けにくくなるおそれが強い。また、このゴム栓２８が少しでも劣化すると、水抜管２６から排水管２０へエアーがリークし易くなる。
【０００６】
かかる問題を解決するために、実開平５−２４０３０号には、浴槽内に気泡を噴出するための気泡噴出ノズルと、該気泡噴出ノズルに給気管を介して接続されたエアーポンプと、浴槽の排水口に設けられた排水栓装置と、該給気管を該排水栓装置に連通させる水抜管と、を有してなる気泡噴出ノズル付き浴槽において、該排水栓装置又は水抜管に、前記エアーポンプからエアー圧がかかったときに閉弁して浴槽へのエアー流出を阻止するエアー遮断弁を設けることが記載されているが、構造が若干複雑でコスト高である。また、排水栓装置が大きく、浴槽下側のスペース（浴室の床面と浴槽底面との間隔）を大きくとる必要がある。
【０００７】
特開平８−１０３４７４号公報には、給気管を排水管及びエアーポンプに対し三方弁を介して接続し、気泡噴出時にはエアーポンプと給気管を連通させ、浴槽から水を落としたときには給気管と排水管とを連通させ給気管から水抜きする構成が記載されているが、電動式の三方弁及びその制御装置が必要であり、コスト高である。また、三方弁が浴槽の下側に配置されるため、三方弁が故障したときには浴槽の上側から修理できないという短所がある。
【０００８】
【発明が解決しようとする課題】
本発明は、このような従来例の短所を無くし、止水性に優れると共に構成が簡易であり、浴槽内からメンテナンスすることができる排水機構を有した気泡噴出ノズル付き浴槽を提供することを目的とする。
【０００９】
【課題を解決するための手段】
本発明の気泡噴出ノズル付き浴槽は、浴槽内に気泡を噴出するための気泡噴出ノズルと、該気泡噴出ノズルに配管を介して接続されたエアーポンプと、浴槽の排水口に設けられた排水栓と、該配管を該排水栓に連通させる水抜管と、を有してなる気泡噴出ノズル付き浴槽において、該排水栓装置は、水抜管から水が流入するポート及び水を排出するための排水ポートを有した排水栓本体と、該排水栓本体に上方から差し込まれる排水キャップと、該流入ポートを閉鎖する流入ポート閉鎖用弁体と、該排水栓本体内に上方から垂設されたアームと、を備えてなり、該排水栓本体内に該排水キャップが挿入されると該排水キャップによってアームが押圧され、該弁体が該流入ポートを閉鎖することを特徴とするものである。
【００１０】
かかる気泡噴出ノズル付き浴槽においては、排水キャップを排水栓本体に差し込むとアームが該排水キャップに押され、これによって弁体が流入ポートを閉鎖する。この流入ポート閉鎖状態においては、配管と排水栓とが遮断され、気泡噴出動作中のエアー等のリークが防止される。排水キャップを抜くと、弁体が流入ポートから離れ、浴槽内の水の排出と共に配管内の水も排水栓から排水される。
【００１１】
本発明の好ましい一態様にあっては、流入ポート閉鎖用弁体は該アームの下部に設けられており、流入ポート閉鎖用アームが排水キャップに押されると弁体が流入ポートに押し付けられて該流入ポートが閉鎖される。この場合、好ましくは、排水キャップが抜かれたときに流入ポート閉鎖用弁体を流入ポートから離反させるようにアームを付勢するバネ等の付勢部材を設ける。
【００１２】
本発明の別の好ましい一態様にあっては、排水キャップが前記排水栓本体に差し込まれることにより前記排水ポートを閉鎖する排水ポート閉鎖用弁体が設けられている。
【００１３】
この場合、流入ポート及び排水ポートは排水栓本体の中心を挟んで対峙して該排水栓本体の側面に設けられており、各ポートに対面する１対のアームが上方から垂設され、流入ポートに対面するアームの下部に前記流入ポート閉鎖用弁体が設けられており、排水ポートに対面するアームの下部に前記排水ポート閉鎖用弁体が設けられており、該排水栓本体に前記排水キャップを挿入すると該排水キャップが各アームを押して各弁体がそれぞれのポートを閉鎖することが好ましい。
【００１４】
また、上記のように流入ポートと排水ポートとをそれぞれ流入ポート閉鎖用弁体と排水ポート閉鎖用弁体とで閉鎖する態様においては、流入ポートは前記排水栓本体の側面に設けられ、前記排水ポートは排水栓本体の底面に設けられており、該流入ポートに対峙するアームが上方から垂設され、該アームの下部に前記流入ポート閉鎖用弁体が設けられており、該排水栓本体内の底部に前記排水ポート閉鎖用弁体が設けられていると共に該排水ポート閉鎖用弁体を上方に付勢して排水ポートを開放させるバネが設けられており、前記排水キャップを排水栓全体内に挿入するとアームの下端が排水ポート閉鎖用弁体を押して排水ポートを閉鎖させるよう構成しても良い。
【００１５】
なお、本発明においては、流入ポートにフィルタ材を設け、排水栓本体側から給気管側へゴミが流れ込まないように構成しても良い。
【００１６】
【発明の実施の形態】
以下、図面と参照して実施の形態について説明する。第１図（ａ）、（ｂ）は実施の形態に係る気泡噴出ノズル付き浴槽の排水栓部分の構成図、第２図はこの気泡噴出ノズル付き浴槽の断面図である。
【００１７】
浴槽１４の排水栓取付孔３６に排水栓３８が取り付けられ、給気管１２と該排水栓３８とが水抜管３４で接続されている。
【００１８】
この排水栓３８は、排水栓取付孔３６に上方から差し込まれた排水栓取付筒４０と、該排水栓取付筒４０に螺合された排水栓本体４２と、排水栓取付筒４０を通して上方から排水栓本体４２内に挿入される排水キャップ４４等を備えてなる。
【００１９】
排水栓取付筒４０の上部には外向きのフランジ４０ａが設けられており、このフランジ４０ａがパッキン４８を介して排水栓取付孔３６の上縁に係止される。排水栓取付筒４０の下部外周面に刻設された雄ネジに対し排水栓本体４２の上部内周面の雌ネジが螺合され、排水栓本体４２の上端のフランジ４２ａが排水栓取付孔３６の下縁に当接するまで排水栓本体４２が排水栓取付筒４０に螺じ込まれ、これにより排水栓本体４２が浴槽１４に固定される。
【００２０】
この排水栓本体４２は略々円筒容器形状のものであり、下部側面には直径方向に対峙する位置関係にて流入ポート５０と排水ポート５２とが設けられている。
【００２１】
この実施の形態にあっては、各ポート５０，５２は、横引きされた円筒状であり、それぞれ排水栓本体４２の側壁を貫通する形状に設けられている。このポート５０，５２の排水栓本体４２の内方側の端部は後述の弁体が着座するシート部となっており、排水栓本体４２の外方側の端部にはそれぞれ水抜管３４と排水管５４とが接続される。
【００２２】
前記排水栓取付筒４０のフランジ４０ａに対し環状の支持板５６が上方から重ね合わされ、ビス５８によって該フランジ４０ａに固定される。
【００２３】
この支持板５６の下面に対しヒンジ部５９を介して１対のアーム６０，６２が垂設されている。各アーム６０，６２はバネ鋼よりなり、それぞれバネ片６４，６６が切り起しにより一体に設けられている。このバネ片の先端は排水栓取付筒４０の内周面に当接し、アーム６０，６２をそれぞれ排水栓本体４２の内壁から離反する方向に付勢している。アーム６０の下部に流入ポート閉鎖用弁体７０が設けられ、アーム６２の下部に排水ボート閉鎖用弁体７２が設けられている。
【００２４】
前記排水キャップ４４は、支持板５６に被さる蓋部７４と、該蓋部７４の中央部から下方に突設された筒部７６とを備えている。なお、この排水キャップ４４には玉鎖などの鎖７８が接続されている。
【００２５】
第２図のその他の構成は第８図と同様であり、同一符号は同一部分を示している。
【００２６】
このように構成された気泡噴出ノズル付き浴槽において、排水栓３８に排水キャップ４４を装着した第１図（ａ）の状態にあっては、筒部７６がアーム６０，６２を押し、弁体７０，７２をポート５０，５２に押し付け各ポート５０，５２を閉鎖する。これにより、浴槽１４内に水（湯）を張ることが可能となる。また、エアーポンプ１０を作動させると、ノズル１６から気泡が噴出する。この場合、流入ポート５０が閉鎖されているから、空気が排水栓３８へリークすることはない。
【００２７】
第１図（ｂ）のように排水キャップ４４を抜くと、バネ片６４，６６の反発力によりアーム６０，６６の下部の弁体７０，７２が各ポート５０，５２から離反し、浴槽１４内の水が排水ポート５２から排水される。また、給気管１２内の水も水抜管３４を通って排水栓３８に流入し、排水管５４へ排水される。
【００２８】
この排水栓３８の構成はきわめてシンプルであり、電気駆動機構等は一切不要である。また、堅牢で耐久性に優れると共に、アーム６０，６２や弁体７０，７２を排水栓本体４２から上方に抜き出し、点検、修理することもできる。
【００２９】
本発明においては、第３図の排水栓３８Ａのように流入ポート５０Ａにヘアキャッチャ８０などのフィルタ材を設けて良い。このようにすれば排水栓本体４２Ａ側から水抜管３４内へ毛髪などのゴミが流入することが防止される。
【００３０】
なお、この第３図の実施の形態では流入ポート５０Ａの排水栓本体４２Ａ内の端部の内周に凹段部を周設し、この凹段部にヘアキャッチャ８０を装着している。アーム６０の下部に設けられた弁体７０Ａは平盤状であり、流入ポート５０Ａの先端面に対し重なるように押し付けられる。
【００３１】
第３図のその他の構成は第１図と同一であり、この第３図の実施の形態によっても第１図のものと同じ優れた効果を得ることができる。
【００３２】
第４，５図はそれぞれ異なる実施の形態の排水栓を示す断面図である。
【００３３】
第４図の排水栓３８Ｂの排水栓本体４２Ｂにあっては、排水ポート５２Ｂが底面から下方に突設されている。そして、この排水栓３８Ｂにおいては、１個のアーム６０のみが設けられ、流入ポート５０のみ弁体７０で閉鎖される。排水ポート５２Ｂは閉鎖されないが、その代わりに排水キャップ４４Ｂの蓋部７４の下面に止水パッキン８２が設けられており、この止水パッキン８２が支持板５６に密着することにより浴槽１４内の水が漏出しないように構成されている。第４図のその他の構成は第１図（ａ）と同じである。
【００３４】
この第４図の排水栓３８Ｂにあっては、１本のアーム６０のみが設けられており、アーム６２は設けられていないので、排水キャップ４４Ｂを抜いて浴槽１４内から大量の水が排水栓本体４２Ｂ内に流れ込んできても、その水勢によって弁体７２が排水ポート５２に接近することがなく、浴槽水の排水速度が大きい。
【００３５】
第５図の排水栓３８Ｃにおいても、排水栓本体４２Ｃの底面から排水ポート５２Ｃが下方に突設されている。
【００３６】
この排水ポート５２Ｃの上縁に着座する排水ポート閉鎖用弁体８４が排水栓本体４２Ｃ内に設置されている。また、この弁体８４を排水ポート５２Ｃから離反させるバネ８６が設けられている。
【００３７】
この弁体８４は、排水キャップ４４の筒部７６を排水栓本体４２Ｃ内に差し込むことにより排水ポート５２Ｃを閉鎖する。即ち、筒部７６を排水栓本体４２Ｃ内に差し込むと、１対のアーム６０，６２が押し開かれるように回動する。そして、アーム６０，６２の下部が鉛直下方を指向するようになり、アーム６０，６２の下端が弁体８４の上面に当接し、該弁体８４がアーム６０，６２によって押し下げられる。これにより、弁体８４が排水ポート５２Ｃの上縁に密着し、排水ポート５２Ｃが閉鎖される。
【００３８】
排水キャップ４４を引き抜くと、アーム６０，６２が傾斜姿勢に戻り、バネ８６の反発力によって弁体８４が押し上げられ、排水ポート５２Ｃが開放する。この第５図の排水栓５８Ｃにあっては、排水ポート５２Ｃを大きくとることができる。
【００３９】
上記実施の形態にあってはバネ片６４，６６によってアーム６０，６２を付勢しているが、コイルスプリングなどその他のバネによってアーム６０，６２を付勢しても良い。
【００４０】
上記実施の形態はエアーポンプによってノズルにエアーを供給するタイプのものであるが、本発明は循環配管から取り込まれる浴槽１４内の水（湯）を循環ポンプによってノズルに供給し、該ノズルから水が噴出すると共にベンチュリー作用によって空気を吸い込んで浴槽内に噴出させるジェットバスタイプの浴槽にも適用できる。
【００４１】
この場合、循環配管を水抜管を介して排水栓に接続する。
【００４２】
【発明の効果】
以上の通り、本発明の気泡噴出ノズル付き浴槽によると給気管等の配管内の残水を排水栓を介して排水することができる。本発明にあっては、排水栓の止水性が良好である。また、排水栓の構成が簡易であり、コストが低廉である。さらに、浴槽内から排水栓をメンテナンスすることもできる。
【図面の簡単な説明】
【図１】実施の形態に係る気泡噴出ノズル付き浴槽の排水栓の断面図である。
【図２】実施の形態に係る気泡噴出ノズル付き浴槽の断面図である。
【図３】別の実施の形態に係る気泡噴出ノズル付き浴槽の排水栓の断面図である。
【図４】さらに別の実施の形態に係る気泡噴出ノズル付き浴槽の排水栓の断面図である。
【図５】異なる実施の形態に係る気泡噴出ノズル付き浴槽の排水栓の断面図である。
【図６】従来の水抜機構の説明図である。
【図７】従来の気泡噴出ノズル付き浴槽の断面図である。
【符号の説明】
１０  エアーポンプ
１２  給気管
１４  浴槽
１６  気泡噴出ノズル
３４  水抜管
３８，３８Ａ，３８Ｂ，３８Ｃ  排水栓
４２，４２Ａ，４２Ｂ，４２Ｃ  排水栓本体
４４  排水キャップ
５０，５０Ａ，５０Ｂ，５０Ｃ  流入ポート
５２，５２Ａ，５２Ｂ，５２Ｃ  排水ポート
６０，６２  アーム
７０，７０Ａ，７２，８４  弁体
【図１】
0003640131.tif 000002
【図２】
0003640131.tif 000003
【図３】
0003640131.tif 000004
【図４】
0003640131.tif 000005
【図５】
0003640131.tif 000006
【図６】
0003640131.tif 000007
【図７】
0003640131.tif 000008